(57)【特許請求の範囲】
【請求項１】
表面材と裏面材とで合成樹脂発泡体からなる芯材をサンドイッチした建築用パネルにおいて、少なくとも表面材と芯材との境界部に耐火シートを介在させると共に、該耐火シートはゴム系の主材をバインダーとして内部に熱発泡性の炭素成分を含有させ、さらに、少なくとも一方の面にシート状物を積層させたものからなり、該耐火シートの芯材側に無数の孔を形成したことを特徴とする建築用パネル。
【発明の詳細な説明】
【０００１】
【発明の属する技術分野】
本発明は防火性能、耐火性能を必要とする建築、構築物の内壁材、外壁材、屋根材、天井材、床材、間仕切り材、あるいは防火戸等として使用でき、かつ軽量で、機械強度のある長尺状の建築用パネルに関するものである。
【０００２】
【従来の技術】
一般に、薄板状の表面材と裏面材にて合成樹脂発泡体からなる芯材をサンドイッチした建築用パネルは数多く発明、考案されて上市されている。
【０００３】
【発明が解決しようとする課題】
しかしながら、芯材として合成樹脂発泡体を用いたパネルでは、防火性能に課題があり、パネル単体でＪＩＳ−Ａ−１３０１、ＪＩＳ−Ａ−１３０２の防火構造を取得するには困難性があった。さらに、表面材と芯材との接着性が弱く、表面材や裏面材との一体化に課題があった。
【０００４】
【課題を解決するための手段】
本発明はこのような課題を解決するため、表面材と芯材との境界部に耐火シートを介在させると共に、耐火シートはゴム系の主材をバインダーとして内部に熱発泡性の炭素成分を含有させ、さらに、少なくとも一方の面にシート状物を積層させたものから形成したので、芯材の防火性能を補い、防火構造試験に合格する建築用パネルとすることができると共に、耐火シートの片面に形成したシート状物により、芯材との接着性をも強化した建築用パネルを提案するものである。
【０００５】
【発明の実施の形態】
以下に、図面を用いて本発明に係る建築用パネルの一実施例について詳細に説明する。図１（ａ）は上記建築用パネルＡの代表的な一例を示す断面図、図１（ｂ）は図１（ａ）のイ部分を示す拡大図であり、表面材１と裏面材２で合成樹脂を原料とする合成樹脂発泡体からなる芯材３を、サンドイッチした建築用パネルＡであり、少なくとも表面材１の裏面側（芯材３との境界面）に耐火シートＢを配したものである。
【０００６】
表面材１、裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、さらには、アルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【０００７】
また、芯材３はポリウレタンフォーム、ポリイソシアヌレートフォーム、フェノールフォーム、塩化ビニルフォーム、ポリエチレンフォーム、ポリスチレンフォーム、ユリアフォーム、等の合成樹脂発泡体からなるものであり、例えばレゾール型フェノールの原液と、硬化剤、発泡剤を混合し、表面材１、もしくは裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。
【０００８】
耐火シートＢは少なくとも表面材１の裏面側（芯材３との境界面）に一体に積層するものであり、主に、建築パネルＡの防、耐火性の向上、表面材１のフラット性の向上、表面材１と芯材３との接着性の強化材、建築用パネルＡ全体の機械強度の強化剤として機能するものである。
【０００９】
耐火シートＢは例えば、図２に示すように、ゴム系の主材４と、主材４の少なくとも一方の面に一体に積層させたシート状物５とからなるものである。さらに、図１（ｂ）に示すように主材４の内部には、主材４をバインダーとして熱発泡性の炭素成分６を含有させたものである。
【００１０】
ゴム系の主材４としては、例えば各種合成ゴムや天然ゴムとして、ブチルゴム、ポリエチレンゴム、ポリブデンゴム、ＥＶＡ、スチレン・ブタジエンゴム、ハイスチレンゴム、スチレン系エラストマー等の一種以上からなり、耐火シートＢにある程度の柔軟性、可塑性、弾性が加味され、巻き取りやコイル状に形成することができ、非常に扱い易い、ハンドリングの良い耐火シートＢとなる。さらに、主材４としてゴム系を採用したことにより、主材４と表面材１および後記するシート状物５との接着を、主材４自身の自己接着性を利用でき、別途接着剤等を使用しなくても強固に、容易に接着することができるものである。勿論、別途接着剤を使用して表面材１と耐火シートＢを強固に接着させることもできるものである。
【００１１】
また、主材４の内部に混入されている炭素成分６としては、例えば、グラファイト、カーボンブラック等の炭素化合物からなり、熱を受けた際に炭化して発泡し、断熱層を形成することにより、熱の伝導を妨げるものである。また、炭素成分６の発泡倍率としては５倍〜８０倍位である。
【００１２】
シート状物５は主に、芯材３と耐火シートＢとの接着性を向上させるものであり、主材４の一方の面、すなわち、芯材３と積層する面に形成するものである。その素材としては、例えば、ポリエステル系、ナイロン系、ボロン系、炭素系、アルミナ系、炭化ケイ素系、アラミド系、ガラス繊維系の不織布、あるいは、水酸化アルミニウムシート、ロックウールシート、セラミックシート、炭酸カルシウムシート、珪酸カルシウムシート、クラフト紙、金属箔シート、合成樹脂シート、繊維系布シート等の１種以上からなる。
【００１３】
図３（ａ）〜（ｃ）は、建築用パネルＡの全体形状を示す例であり、図３（ａ）はその斜視図、図３（ｂ）、（ｃ）は図３（ａ）のロ−ロ線の断面図に該当するものである。
【００１４】
すなわち、表面材１の中央部を方形凸状に突出させた化粧面７と、連結舌片８を形成したものであり、建築用パネルＡ同士の連結は、４方の側片において連結舌片８同士を重ね合わせて行うものである。
【００１５】
なお、図３（ｂ）は耐火シートＢを表面材１の連結舌片８下部にも積層させた例であり、図３（ｃ）は連結舌片８下部の耐火シートＢを切除した建築用パネルＡの例である。
【００１６】
さらに、防火性能を確認するために表面材１として厚さ０．５ｍｍのアルミニウム鋼板、芯材３として密度６０Ｋｇ／立方メートルのイソシアヌレートフォーム、裏面材２として厚さ０．２７ｍｍのスチール鋼板を用い、全厚さを３０ｍｍとした図３（ａ）に示すような建築用パネルＡを用いて、防火構造試験を行った。
【００１７】
その結果としては、建築用パネルＡ本体の裏面最高温度が１５０℃、目地部の裏面最高温度が１００℃、残炎時間が０秒であり、結果は合格であった。
【００１８】
図５（ａ）、（ｂ）は耐火シートＢに孔を形成した例を示す説明図であり、図５（ａ）はミシン目状に、図５（ｂ）は円柱状の孔９を形成したものである。孔９は耐火シートＢの柔軟性、可塑性、弾性を助長し、より扱い易くすると共に、万一の火災の際等で炭素成分６が発泡する際のスペースとして機能し、効率よく炭化断熱層（耐熱層）を形成するのに有用なものである。
【００１９】
なお、孔９の深さは、図５（ｂ）のハ−ハ部の断面図である図６（ａ）に示すように、主材４の途中まで、図６（ｂ）に示すように主材４とシート状物５の境界まで、あるいは、図６（ｃ）に示すように貫通させた深さ、とすることができる。
【００２０】
以上説明したのは、本発明に係る建築用パネルの一実施例にすぎず、図４、図７〜図９に示す建築用パネルＡとしたり、部材を用いたりすることができる。すなわち、図４（ａ）〜（ｂ）は建築用パネルＡのその他の例を示す断面図であり、図４（ａ）は耐火シートＢを表面材１および裏面材２と芯材３との両方の境界面に介在させた例、図４（ｂ）は耐火シートＢを芯材３の中心部にも介在させた建築用パネルＡの例である。
【００２１】
図７〜図９は建築用パネルＡの全体形状の変形例を示す断面図であり、これらの建築用パネルＡは同一断面の長尺板状物である。なお、図７（ａ）において、１０は防水シーリング、図８（ａ）において、１１は耐火性パッキング材、１２は不燃材である。
【００２２】
【発明の効果】
上述したように本発明に係る建築用パネルによれば、耐火シートを介在したので、▲１▼建築用パネルの機械強度が従前より大幅に向上する。▲２▼表面材をアルミニウム、芯材をイソシアヌレートフォームとした場合でも防火構造を取得できる。▲３▼芯材と表面材との接着性が向上する。等の特徴、効果がある。
【図面の簡単な説明】
【図１】本発明に係る建築用パネルの代表的な一例を示す説明図である。
【図２】図１で用いられた耐火シートの例を示す説明図である。
【図３】本発明に係る建築用パネルの全体形状の一例を示す説明図である。
【図４】本発明に係る建築用パネルのその他の例を示す説明図である。
【図５】耐火シートのその他の例を示す説明図である。
【図６】図５におけるハ−ハ線の断面図である。
【図７】本発明に係る建築用パネルのその他の例を示す説明図である。
【図８】本発明に係る建築用パネルのその他の例を示す説明図である。
【図９】本発明に係る建築用パネルのその他の例を示す説明図である。
【符号の説明】
Ａ  建築用パネル
Ｂ  耐火シート
１  表面材
２  裏面材
３  芯材
４  主材
５  シート状物
６  炭素成分
７  化粧面
８  連結舌片
９  孔
１０  防水シーリング
１１  耐火性パッキング材
１２  不燃材
【図１】
0004020174.tif 000002
【図２】
0004020174.tif 000003
【図３】
0004020174.tif 000004
【図４】
0004020174.tif 000005
【図５】
0004020174.tif 000006
【図６】
0004020174.tif 000007
【図７】
0004020174.tif 000008
【図８】
0004020174.tif 000009
【図９】
0004020174.tif 000010